(57)【特許請求の範囲】
【請求項１】
電子源と、電子源より放出された電子線を収束する収束レンズと、前記電子線を試料上で走査する偏向器と、前記電子線の収差を補正する収差補正装置と、電子線の収束角度を決定する収束絞りと、前記試料を透過又は回折した電子を検出する検出器を備えた走査透過電子顕微鏡において、
試料を透過した電子線が形成するロンチグラムのコントラスト情報からヒストグラムを作成する演算部を備え、前記ヒストグラムに基づいて前記収束絞りの位置を決定することを特徴とする走査透過電子顕微鏡装置。
【請求項２】
電子源と、電子源より放出された電子線を収束する収束レンズと、
前記電子線を試料上で走査する偏向器と、前記電子線の収差を補正する収差補正装置と、電子線の収束角度を決定する収束絞りと、前記試料を透過又は回折した電子を検出する検出器を備えた走査透過電子顕微鏡において、
試料を透過した電子線が形成するロンチグラムを微分した画像のコントラスト情報からヒストグラムを作成する演算部を備え、前記ヒストグラムに基づいて前記収束絞りの位置を決定することを特徴とする走査透過電子顕微鏡装置。
【請求項３】
請求項１又は２記載の走査透過電子顕微鏡装置において、
収束絞りを二次元的に駆動する駆動機構と、当該収束絞りの駆動と同期してロンチグラムを撮影し、当該ロンチグラム又はロンチグラムの微分画像のコントラスト情報からヒストグラムの情報を取得し、前記ヒストグラムに基づいて前記収束絞りの位置を決定することを特徴とする走査透過電子顕微鏡装置。
【請求項４】
請求項１又は２記載の走査透過電子顕微鏡装置において、
電子線の傾斜と同期してロンチグラムを撮影し、前記ロンチグラム又はロンチグラムの微分画像のコントラスト情報からヒストグラムの情報を取得し、前記ヒストグラムに基づいて光軸の決定を行うことを特徴とする走査透過電子顕微鏡装置。
【請求項５】
請求項４記載の走査透過電子顕微鏡装置において、
光軸位置と収束絞り位置とが一致するように電子線の傾斜が自動で設定されることを特徴とする走査透過電子顕微鏡装置。
【発明の詳細な説明】
【技術分野】
【０００１】
本発明は、電子顕微鏡及びその軸調整方法に関し、特に走査透過電子顕微鏡の軸調整方法に関する。
【背景技術】
【０００２】
従来の走査透過電子顕微鏡装置における照射角度を規定する収束絞りの位置調整方法は、対物レンズの電流を周期的に可変し、走査透過像の逃げ量が最小になるように機械的に収束絞りを位置調整するか、あるいは電磁偏向器により電子線の光軸を絞り位置と一致するように行われている。また、別の方法としては収束絞りを大きな穴径のものを用いるあるいは収束絞りを開放した状態で電子線を試料の１点に停止させ、試料を透過した画像に表れる図形を用いて行われている。後者の方法で用いられる画像はロンチグラムと呼ばれている。
【０００３】
収差補正器を搭載した走査透過電子顕微鏡で得られるロンチグラムは、図２に示すように、中心部におけるコントラスト平坦領域１と、コントラスト平坦領域１の周辺における多角形の形状のコントラストが強い領域２とが伴って観察される。コントラストが強い領域２は、補正不可能あるいは残留する高次収差に由来する。光軸の中心はこのコントラスト平坦領域１に存在し、操作者はロンチグラムを観察しながら光軸の中心と収束絞りの中心とが一致するように調整する。
【０００４】
収差補正器を搭載した走査透過電子顕微鏡では精密な収束絞りの位置合せが必要である。その理由は収束絞り位置が正確でない場合には電子線の収束状態が収差補正状態から外れ、コマ収差などの高次収差が導入されることにより走査透過像の解像度が劣化する場合があるからである。
【先行技術文献】
【特許文献】
【０００５】
【特許文献１】特開２００３−３３１７７３号公報
【非特許文献】
【０００６】
【非特許文献１】Journal of Electron Microscopy 54巻3号 p.251- p.278 2005年
【発明の概要】
【発明が解決しようとする課題】
【０００７】
収差補正器を搭載した走査透過電子顕微鏡装置における光軸中心への収束絞りの位置合せ方法では、ロンチグラムのコントラストが平坦な部分の概略中心に光軸が存在すると仮定して収束絞りの位置合せを行う。光軸の捜索方法の補助として対物レンズの電流を手動あるいは自動で変化させてロンチグラムのパターンが変化する中心を定めて行うことも行われる。
【０００８】
しかしながら、いずれの手法においても光軸位置を目視で定めているため、収束絞りの位置が精密に光軸に一致しているかどうかは操作者の技量や経験に依存してしまい、装置から引き出せる性能にばらつきを発生させることになる。
【０００９】
また、収差が補正されている部分を最大限にプローブとして取り入れて使用するような条件では、コントラストの平坦な部分の全域を選択する方法が用いられるが、ロンチグラムのコントラストが平坦な部分と収差によりロンチグラムが歪んでコントラストが強い部分との境界を目視で判断しているために、最も収差を含まない収束絞り位置の判断が不可能である。
【００１０】
さらに、走査透過像のコントラストを向上させる、あるいは電子線による試料ダメージを低減させる目的でロンチグラムのコントラストが平坦な部分より十分に小さい径の収束絞りを使用する場合があるが、絞りを挿入するべきいずれの近傍でコントラストが平坦な領域であるため光軸の位置の決定が困難である。
【００１１】
本発明の目的は、収差補正器を搭載した走査透過電子顕微鏡において、操作者の技量や経験に依存せず光軸中心への収束絞りの位置合せを自動で行うことができる走査透過電子顕微鏡を提供することを目的とする。
【課題を解決するための手段】
【００１２】
本発明では、電子源と、電子源より放出された電子線を収束する収束レンズと、前記電子線を試料上で走査する偏向器と、前記電子線の収差を補正する収差補正装置と、電子線の収束角度を決定する収束絞りと、前記試料を透過又は回折した電子を検出する検出器を備えた走査透過電子顕微鏡において、試料を透過した電子線が形成するロンチグラムのコントラストの情報を取得し、当該情報に基づいて前記収束絞りの位置を決定することを特徴とする走査透過電子顕微鏡装置を提供する。
【発明の効果】
【００１３】
収差補正器を搭載した走査透過電子顕微鏡における光軸中心への収束絞りの位置合せ方法において、光軸の位置が操作者の技量や経験に依存なく決定できる。
【００１４】
その結果、装置から引き出せる性能に操作者によるばらつきを発生させない、収差が補正されている部分を最大限にプローブとして取り入れて使用できる、収差補正されている角度範囲より十分に小さい径の収束絞りを使用する場合でも光軸位置に収束絞りを一致させることが可能となる。
【図面の簡単な説明】
【００１５】
【図１】収束絞り位置が適切でない場合及び適切である場合のロンチグラム並びにそのヒストグラムを表わす図。
【図２】収差補正器を搭載した走査透過電子顕微鏡によって観察されるロンチグラムの例を表わす図。
【図３】ロンチグラムにおけるコントラストが平坦な部分から光軸を探索して収束絞りの位置合せを行うための走査透過電子顕微鏡の構成を表わす図。
【図４】収差補正器を搭載した走査透過電子顕微鏡によって観察されるロンチグラムにおいて焦点外しを実施した場合の例を表わす図。
【図５】照射角度を小さく設定するための穴径が小さな収束絞り位置が適切でない場合及び適切である場合のロンチグラム並びにそのヒストグラムを表わす図。
【図６】電子線傾斜により収束絞りにロンチグラムの一部のパターンを取り込んでコントラストが平坦な部分から光軸を決定する方法を表わす図。
【発明を実施するための形態】
【００１６】
図３は走査透過電子顕微鏡の電子光学系を説明する図である。光源１１から発生した電子線は１段目収束レンズ１３、２段目収束レンズ１４及び対物レンズ２０により収束されて試料２２上に電子線プローブを形成する。収差補正器１６は対物レンズ２０の上流に設置されており、電子光学系で発生する球面収差や色収差などを補正する。これらの各レンズは磁場型あるいは静電型の回転対称レンズや多重極レンズが使用される。
【００１７】
ここで、光源とは電子源，静電型あるいは磁界型の電子線の引出電極，静電方加速電極等から構成される電子銃によって形成された実際の電子線スポット、あるいは虚像の電子線スポットとして定義される仮想光源を意味しており、電子銃としては電子源を加熱しないで電子線を電界放出させる冷陰極型電界放出電子銃、あるいは電子源を加熱して電子線を放出させるショットキー型電子銃などの方式が考えられる。
【００１８】
電子銃絞り１７は大きな角度から光軸１２に入射する電子線の遮蔽を行う役目を持ち、電子銃の超高真空を保護するための作動排気絞りとしても用いられる場合がある。収束絞り１５は機械的な駆動機構を有しており、光軸１２に対して挿入や退避が可能であり、３次元的な詳細位置決め機構を有している。収束絞り１５の使用目的は試料２２上での電子線プローブの照射角度２１を調整することであり、複数の穴径、例えば５００ミクロンから１０ミクロン程度の貫通穴を具備する板が使用される。また、図３において収束絞り１５の位置は２段目収束レンズ１４と収差補正器１６との間に設置されているが、１段目収束レンズ１３と２段目収束レンズ１４との間あるいは光源１１と１段目収束レンズ１３との間などの位置に設置してもよい。
【００１９】
１段目走査コイル１８及び２段目走査コイル１９は電子線を光軸１２から偏向離軸させることにより、試料２２上での電子線プローブの位置を制御する機能を有する。１段目走査コイル１８及び２段目走査コイル１９のそれぞれと同一面内で９０度方向回転した位置に同一機能を持つ走査コイルが配置されており（図示せず）、これらのコイルによる電子線プローブの位置制御を組み合わせて試料２２上で電子線プローブを２次元的に走査することができる。
【００２０】
走査透過像の形成は電子線の走査に同期して試料２２から発生した２次電子や試料２２を透過した電子線を検出器（図中省略）により検出して１６ビット程度のダイナミックレンジを持った画像として表示することによって実施される。
【００２１】
各レンズと走査コイルの制御は電子顕微鏡制御部２３により実施される。この光学系の電子顕微鏡制御部２３はＣＰＵにより制御される駆動電源回路，ソフトウエア，操作者が入出力を制御できるキーボード，マウス，つまみ等のインターフェースから構成されている。
【００２２】
ＣＣＤカメラ２５は試料２２を透過した電子線が形成するロンチグラムを撮影する機能を持ち、ＣＣＤカメラ制御部２４によって制御されている。
【実施例１】
【００２３】
次に、収差補正器を搭載した走査透過電子顕微鏡における収束絞りの精密位置合せの方法について説明する。図１は図２に示したロンチグラムに対して絞りを挿入した場合のロンチグラムとそのヒストグラムとを示したものである。絞り位置は光軸位置と一致するように挿入されるべきであるが、光軸はロンチグラムのコントラストが平坦な位置に存在しており、最も適切な挿入位置の目視での判別は困難である。図１（ａ）は絞り位置が適切でない場合のロンチグラムで、一部に異なるコントラストが混入していることがわかる。一方、図１（ｂ）は絞り位置が適切である場合のロンチグラムで、絞り内部のコントラストが一様であることがわかる。このコントラストの一様性を判断するためにそれぞれの画像のヒストグラムを使用すればピークの位置や高さにより光軸からのずれを判断できる。
【００２４】
光軸を探索するための具体的なフローは以下のとおりである。
（１）収束絞りが入っていない状態のロンチグラムを観察しながら操作者がロンチグラムの中心付近、すなわち光軸と推定される近傍を指定する。
（２）ＣＣＤカメラによりそのエリア近傍、例えば指定点の周辺５０×５０画素における画像の諧調を求め、コントラストの基準として記憶する。
（３）収束絞りが自動で挿入された後、微動機能により収束絞りが平面内を走査する。この走査と同期してＣＣＤカメラは画像を撮影し、ヒストグラムを算出する。
（４）収束絞りが走査を完了したら全ヒストグラムを解析し、基準諧調以外が混入する位置を排除し、絞り内全体のコントラストが最も平坦な位置を算出し、光軸と判定する。
（５）決定された光軸位置と絞りの中心とが一致するように微動機構により収束絞りが自動で設定される。
【００２５】
上記絞り位置の決定方法では絞りが挿入されたロンチグラムのヒストグラムを用いて光軸位置を判定しているが、コントラストの差が中心と収差残留部とで小さい場合もある。この場合には撮影したロンチグラムを微分した画像に変換してコントラスト変化を強調した後に、ヒストグラムから微分値の小さい領域を選択することによって光軸の決定が可能となる。絞り導入から光軸決定，絞りの自動位置合せまでのフローとしては同様な方法が適用できる。
【実施例２】
【００２６】
次にロンチグラムのコントラスト平坦部分と比較して小さい角度範囲を選択する場合の光軸決定方法について説明する。ロンチグラムは電子線の角度による収差の分布を表わした画像であり、小さい角度の選択においては穴径の小さな絞りを選択する。この場合、絞りをロンチグラムの中心近傍に挿入すると、近接のどの位置においてもコントラストが平坦であり、ヒストグラムの諧調基準位置からのずれを判別しても正確な光軸が決定できない。ここでは焦点外しを行った場合にロンチグラムのコントラストが変化することを用いる。図４は焦点外しを行った場合のロンチグラムである。その特徴として焦点外れによる収差が光軸を中心にコントラストを形成することである。最終残留収差に対して適切な焦点外れ量を選択することによって中心位置をロンチグラムのコントラスト変化として判定可能となる。図５は図４に示したロンチグラムに対して絞りを挿入した場合のロンチグラムとそのヒストグラムとを示したものである。収束絞りの位置が適切である場合のロンチグラムのヒストグラムでは諧調が広い範囲に分布するのに対して、収束絞りの位置が適切でない場合のヒストグラムでは特異なピークが検出される。これを用いれば小さな穴径を光軸に一致させることが可能となる。自動での収束絞り位置設定のフローとしては図１で用いたものと同様に行うことが可能で、光軸の判定においてヒストグラムの特異点を最も排除できる位置として実行する。
【実施例３】
【００２７】
絞りの位置を機械的に変更して光軸位置を決定する方法と同様な機能を電子線の傾斜によっても実現できる。図６は電子線を光軸に対して傾斜させ、ロンチグラムの複数の位置を画像として取り込んだ場合の図である。電子線の傾斜条件を多方向に設定し、それぞれの画像のヒストグラムを解析すると、ヒストグラムで最もコントラストが一様である傾斜条件が決定できる。その傾斜条件を偏向コイルを用いて設定すれば光軸と収束絞りの中心とが一致できるようになる。
【符号の説明】
【００２８】
１  コントラスト平坦領域
２  コントラストが強い領域
３  焦点外しを実施したロンチグラムの中央付近でコントラストが強い領域
１１  光源
１２  光軸
１３  １段目収束レンズ
１４  ２段目収束レンズ
１５  収束絞り
１６  収差補正器
１７  電子銃絞り
１８  １段目走査コイル
１９  ２段目走査コイル
２０  対物レンズ
２１  照射角度
２２  試料
２３  電子顕微鏡制御部
２４  ＣＣＤカメラ制御部
２５  ＣＣＤカメラ
【図１】
0005315302.tif 000002
【図２】
0005315302.tif 000003
【図３】
0005315302.tif 000004
【図４】
0005315302.tif 000005
【図５】
0005315302.tif 000006
【図６】
0005315302.tif 000007